(57)【要約】  本発明は、操作パネル部（３）に設けられた操作ボタン（２）と、該操作ボタン（２）が押されたことで発生する動力を伝達する動力伝達手段（４）と、該動力伝達手段（４）を通じて伝達された動力により電力を発生させる発電機（１０）と、該発電機（１０）から供給される電力により被操作対象に対して制御信号を発信する信号出力回路（１２）と、を有することを特徴とする。
2010116451.tif 000002
【特許請求の範囲】
【請求項１】
操作パネル部に設けられた操作ボタンと、
該操作ボタンが押されたことで発生する動力を伝達する動力伝達手段と、
該動力伝達手段を通じて伝達された動力により電力を発生させる発電機と、
該発電機から供給される電力により被操作対象に対して前記操作ボタンに応じた制御信号を発信する信号出力回路と、
を有することを特徴とする遠隔制御装置。
【請求項２】
前記動力伝達手段は、
操作ボタンの押圧によって直線移動するように設けられた移動部材と、
該移動部材に連結されて該移動部材の直線移動を回転動作に変換して前記発電機の軸に伝達する複数の歯車と、
を有することを特徴とする請求項１に記載の遠隔制御装置。
【請求項３】
前記移動部材は、前記歯車の一部として設けられたピニオンに噛合するラックであることを特徴とする請求項２に記載の遠隔制御装置。
【請求項４】
前記動力伝達手段は、前記発電機の軸を高速回転させるように複数の歯車のギア比が設定されていることを特徴とする請求項２又は３のいずれか１項に記載の遠隔制御装置。
【請求項５】
操作パネル部に設けられた操作ボタンを押すことで発生する動力を伝達し、
前記動力により電力を発生させ、
前記電力により前記操作ボタンに応じた制御信号を発信する遠隔制御方法。
【発明の詳細な説明】
【技術分野】
【０００１】
本発明は、テレビ、オーディオ、照明器具などの電子機器を遠隔操作する遠隔制御装置（リモートコントローラ）、遠隔制御方法に関する。
【背景技術】
【０００２】
テレビ、オーディオ、照明器具などの電子機器を遠隔操作するリモートコントローラとして、特許文献１〜３に示される技術が知られている。
特許文献１に示されるリモコン電源供給装置は、レバーを引きギアを回転させることで駆動される発電機と、該発電機で発生した電力を充電する電解コンデンサと、該電解コンデンサから供給される電力によって駆動されるリモコン制御電子回路部とを有するものである。【０００３】
特許文献２に示される発電蓄電装置では、筐体内に配置されて手動による動作を増速する増速機構部と、該増速機構部により増速された力により発電を行うための発電部と、該発電部で発電した電力を蓄電する蓄電部とを有し、該蓄電部に蓄電された電流は、リモートコントローラの回路基板に対して供給される。【０００４】
特許文献３に示されるリモートコントローラは、手動により操作される揺動レバーと、該揺動レバーの操作により回転される歯車群と、該歯車群により高速回転させられる円形のマグネットと、該マグネットの高速回転により起電力を発生させる発電コイルと、該発電コイルで得られた発電出力を充電する二次電池とを有し、該二次電池からの電力によって、コントローラの電圧制御回路が駆動される。
【特許文献１】特開２０００−１９７３１０号公報
【特許文献２】特開２００１−１６７７２号公報
【特許文献３】特開平９−３２２４７７号公報
【発明の開示】
【発明が解決しようとする課題】
【０００５】
ところで、上記特許文献１〜３に示す遠隔制御装置（リモートコントローラ）では、充電池に貯蔵した電力により制御回路が駆動される構成であるので、長期間放置して、電池切れとなった場合に使用不能となるという問題がある。
また、長期間の放置により、充電池内の電解液が液漏れした場合にも、同様に使用不能となる問題がある。【０００６】
本発明は、このような事情を考慮してなされたもので、充電池又は電池を使用すること無く信号出力回路（回路部）を駆動することで、電池切れ、液漏れによる使用不能というトラブルを防止し、常時、安定した使用を行うことができる遠隔制御装置、遠隔制御方法の提供を目的とする。
【課題を解決するための手段】
【０００７】
上記目的を達成するために、本発明は、操作パネル部に設けられた操作ボタンと、該操作ボタンが押されたことで発生する動力を伝達する動力伝達手段と、該動力伝達手段を通じて伝達された動力により電力を発生させる発電機と、該発電機から供給される電力により被操作対象に対して制御信号を発信する信号出力回路と、を有することを特徴とする。
【発明の効果】
【０００８】
本発明の遠隔制御装置によれば、操作パネル部の操作ボタンが押されると、該操作ボタンが押されたことで発生する動力が、動力伝達手段を通じて発電機に伝達される。これによって発電機にて電力を発生させ、該電力により、信号出力回路を通じて被操作対象に対して制御信号が発信され、被操作対象となるテレビ、オーディオ、照明器具等の電子機器を、円滑に作動／調整／停止させることが可能となる。
従って、上記遠隔制御装置では、充電池又は電池を使用すること無く信号出力回路を駆動することで、前述の特許文献に示されるような、電池切れ、液漏れによる使用不能というトラブルを防止し、常時、安定した使用を行うことが可能となる。また、充電池又は電池を使用すること無く信号出力回路を駆動できるので、構成要素を少なくすることができ、地球環境の保全にも貢献することができる。また、前述の特許文献に示される技術は、充電のために逐一、レバーを操作する必要があるが、本実施形態の遠隔制御装置では、通常のリモコン操作の中で、発電機での発電及び信号出力回路からの制御信号の発信が可能であり、余分な操作を行うことなく、被操作対象のコントロールが可能となる。
【図面の簡単な説明】
【０００９】
【図１】本発明の実施形態に係る遠隔制御装置の平面図である。
【図２】本発明の実施形態に係る遠隔制御装置内部の構造を示す図である。
【図３】図２の動作を示す図である。
【符号の説明】
【００１０】
１…筺体
２…操作ボタン
３…操作パネル部
４…動力伝達手段
５…移動部材
５Ａ…ラック
６Ａ〜６Ｄ…歯車
７…ピニオン（歯車）
８…歯車群
１０…発電機
１２…信号出力回路
１００…遠隔制御装置
【発明を実施するための最良の形態】
【００１１】
以下、図面を参照し、本発明の実施の形態について説明する。以下に説明する実施の形態は、本発明の実施形態のうち一例を示すものであり、本発明は、この実施の形態に限定されるものではない。【００１２】
図１は、本発明の実施の形態に係る遠隔制御装置１００の外観を示す図であって、符号１は全体として直方体を形成する筺体である。該筺体１の上面には、テレビ、オーディオ、照明器具などの被操作対象となる電子機器（図示略）を操作するための複数の操作ボタン２からなる操作パネル部３が設けられている。
前記操作ボタン２の下部でかつ前記筺体１の内部空間には、図２に示すように、操作者により操作ボタン２が押されたことで発生する動力を伝達する動力伝達手段４が設けられている。【００１３】
この動力伝達手段４は、操作ボタン２の押圧によって図中上下方向（矢印Ａ−Ｂ方向）に直線移動するように設けられた移動部材５と、該移動部材５に連結されて該移動部材５の直線移動を回転動作に変換して、発電機１０（後述する）のロータ軸１１に伝達する歯車群８と、を具備するものである。【００１４】
前記移動部材５は、全体として長尺に形成されてその一側部にラック５Ａを有するものである。
前記歯車群８は、ラック５Ａに噛合されるピニオン７が同軸上に固定された第１の歯車６Ａと、該第１の歯車６Ａに噛合される第２の歯車６Ｂと、該第２の歯車６Ｂに噛合される第３の歯車６Ｃと、該第３の歯車６Ｃに噛合される第４の歯車６Ｄと、を有するものであって、該第４の歯車６Ｄは、発電機１０のロータ軸１１に固定されている。【００１５】
なお、前記動力伝達手段４では、ラック５Ａの直線移動によって、発電機１０のロータ軸１１を高速回転させるように、歯車群８を構成する複数の歯車６Ａ〜６Ｄ及びピニオン７のギア比が設定されている。
また、発電機１０にて発生した電力は、信号出力回路１２に供給される。該信号出力回路１２は、回路基板１３上に配置されるものであって、発電機１０から供給される電力により、端部に位置する発信部１２Ａから、被操作対象となる電子機器（図示略）に対して制御信号Ｓを発信するものである。【００１６】
また、前記動力伝達手段４の移動部材５は、図示しない付勢手段によって、図２中上方（矢印Ａ方向）に付勢されており、操作者により操作ボタン２が押されていない状態（図２の状態）では、該操作ボタン２を筺体１の上面から突出された状態に保持されている。また、操作者により操作ボタン２が押された場合、移動部材５の下端部は、筺体１内の回路基板１３の底面上に接触することで、これ以上の下方（矢印Ｂ方向）への移動が規制されるように設定されている。【００１７】
そして、上記のように構成された遠隔制御装置１００では、図３に示すように、操作者により、操作パネル部３の操作ボタン２が図示しない付勢手段の付勢力に抗して押されると、動力伝達手段４の移動部材５として設けられたラック５Ａが下方（矢印Ｂ方向）に移動する。これによって該ラック５Ａに噛合されるピニオン７が矢印ａ方向に回転し、これに伴い歯車６Ａ〜６Ｄが矢印ａ〜ｄ方向にそれぞれ回転し、かつ歯車６Ｄと同軸な位置関係にある発電機１０のロータ軸１１も矢印ｄ方向に回転する。そして、該ロータ軸１１の回転により、発電機１０にて発電が行われた後、該発電機１０にて発生した電力が信号出力回路１２に供給される。これと同時に、信号出力回路１２では、発電機１０から供給された電力により、発信部１２Ａを通じて被操作対象に対して制御信号Ｓを発信する。【００１８】
以上詳細に説明したように本発明の実施形態に示される遠隔制御装置１００によれば、操作パネル部３の操作ボタン２が押されると、該操作ボタン２が押されたことで発生する動力が、動力伝達手段４を通じて発電機１０に伝達される。これによって発電機１０にて電力を発生させ、該電力により、信号出力回路１２を通じて被操作対象に対して制御信号Ｓが発信され、被操作対象となるテレビ、オーディオ、照明器具等の電子機器を、円滑に作動、調整、停止させることが可能となる。
従って、上記遠隔制御装置１００では、充電池又は電池を使用すること無く信号出力回路１２を駆動することで、前述の特許文献に示されるような、電池切れ、液漏れによる使用不能というトラブルを防止し、常時、安定した使用を行うことが可能となる。また、充電池又は電池を使用すること無く信号出力回路１２を駆動できるので、構成要素を少なくすることができ、地球環境の保全にも貢献することができる。また、前述の特許文献に示される技術は、充電のために逐一、レバーを操作する必要があるが、本実施形態の遠隔制御装置１００では、通常のリモコン操作の中で、発電機１０での発電及び信号出力回路１２からの制御信号Ｓの発信が可能であり、余分な操作を行うことなく、被操作対象のコントロールが可能となる。【００１９】
また、上記遠隔制御装置１００では、動力伝達手段４として、操作ボタン２の押圧によって直線移動するように設けられた移動部材５と、該移動部材５に連結されて該ラック５の直線移動を回転動作に変換して発電機１０のロータ軸１１に伝達する複数の歯車群８とを具備している。したがって、操作ボタン２の押圧による移動部材５の直線移動により歯車群８が回転するとともに、該歯車群８の回転力が発電機１０にロータ軸１１に伝達され、これによって発電機１０での発電が行われることになる。すなわち、動力伝達手段４により、操作ボタン２から発電機１０への安定した動力伝達を行うことができる。【００２０】
また、上記遠隔制御装置１００では、動力伝達手段４の移動部材５として、歯車群８の一部として設けられたピニオン７に噛合するラック５Ａを設けることで、操作ボタン２の押圧による移動部材５の直線移動を、歯車６Ａ〜６Ｄの回転運動に円滑に転換することが可能となる。【００２１】
また、上記遠隔制御装置１００では、動力伝達手段４は、移動部材５の直線移動により、発電機１０のロータ軸１１を高速回転させるように歯車６Ａ〜６Ｄ及びピニオン７のギア比が設定されているので、該発電機１０のロータ軸１１が高速回転することで、該発電機１０にて所望の電力を発生させることができる。その結果、該発電機１０で発生した電力により、信号出力回路１２から被操作対象への円滑な制御信号Ｓの発信が可能である。【００２２】
なお、上記実施の形態に示される遠隔制御装置１００では、操作ボタン２毎に、動力伝達手段４、発電機１０、信号出力回路１２を設けても良いし、また、操作ボタン２毎に動力伝達手段４、発電機１０、信号出力回路１２を設けることなく、全操作ボタン２に対して、動力伝達手段４、発電機１０、信号出力回路１２を共用しても良い。この場合、各操作ボタン２に対して、動力伝達手段４のラック５Ａ、ピニオン７をそれぞれ設け、かつこれら各ラック５Ａ、ピニオン７に伝達された動力を、発電機１０にそれぞれ伝達するための歯車群を設けることで、発電機１０を作動させ、信号出力手段１２から制御信号Ｓを発信させるようにする。その際、いずれの操作ボタン２から押されたかを信号出力手段１２に認識させ、かつ該操作ボタン２に対応した制御信号Ｓが出力できるように、別途、操作ボタン１２の検知手段を設けるようにすると良い。【００２３】
また、上述した実施の形態において示した動作手順、あるいは各構成部材の諸形状や組み合わせ等は一例であって、本発明の主旨から逸脱しない範囲において設計要求等に基づき種々変更可能である。
【図１】
2010116451.tif 000003
【図２】
2010116451.tif 000004
【図３】
2010116451.tif 000005
【国際調査報告】
2010116451.tif 000006
2010116451.tif 000007